【手続補正書】
【提出日】平成29年9月13日(2017.9.13)
【手続補正１】
【補正対象書類名】特許請求の範囲
【補正対象項目名】全文
【補正方法】変更
【補正の内容】
【特許請求の範囲】
【請求項１】
ＩＣカードの情報を読み取るカードリーダであって、
筐体と、
前記筐体内に設けられ、前記ＩＣカードとの間で通信を行うための第１のアンテナと、
前記第１のアンテナの通信範囲に入った前記ＩＣカードとの間で前記通信を行なって、前記ＩＣカードの有するメモリからデータを受け取る処理を少なくとも行なう制御部と、
第２のアンテナを有するＲＦタグを備え、所定の条件が満たされたときに、前記ＲＦタグが前記第２のアンテナおよび前記第１のアンテナを介して前記制御部と通信することで、所定の機能を実現するスイッチとして機能するスイッチ部と、
を備え、
少なくとも前記第２のアンテナは、前記第１のアンテナのサイドローブの範囲内に設けられた、カードリーダ。
【請求項２】
請求項１に記載のカードリーダであって、
前記第１のアンテナは、前記筐体の有する第１の面側の板部に向かい合って設けられ、
少なくとも前記第２のアンテナは、前記第１の面における前記サイドローブの範囲内に設けられた、カードリーダ。
【請求項３】
請求項１に記載のカードリーダであって、
前記第１のアンテナは、前記筐体の有する第１の面側の板部に向かい合って設けられ、
少なくとも前記第２のアンテナは、前記第１の面とは異なる、前記筐体の有する第２の面における前記サイドローブの範囲内に設けられた、カードリーダ。
【請求項４】
請求項１に記載のカードリーダであって、
少なくとも前記第２のアンテナは、
当該カードリーダが設置される壁面における前記サイドローブの範囲内に設けられた、カードリーダ。
【請求項５】
請求項１から請求項４までのいずれか一項に記載のカードリーダであって、
前記スイッチ部は、人によって操作されうる操作部を有し、前記操作部が操作されたときを、前記所定の条件が満たされたときと判断する、カードリーダ。
【請求項６】
請求項１から請求項５までのいずれか一項に記載のカードリーダであって、
前記スイッチ部は、
前記所定の条件が満たされていないときに、前記第２のアンテナを非共振状態に維持し、前記所定の条件が満たされたときに、前記第１のアンテナからの作用を受けることによって前記第２のアンテナを共振状態に移行させる、カードリーダ。
【請求項７】
請求項１から請求項６までのいずれか一項に記載のカードリーダであって、
前記スイッチ部は、
前記第１のアンテナから送られてくる信号を前記第２のアンテナによって受信することによって発生する電力により、前記ＲＦタグを起動する、カードリーダ。
【請求項８】
請求項１から請求項７までのいずれか一項に記載のカードリーダであって、
前記筐体は、カバーを備え、
前記スイッチ部は、前記カバーに取り付けられた、カードリーダ。
【手続補正２】
【補正対象書類名】明細書
【補正対象項目名】０００７
【補正方法】変更
【補正の内容】
【０００７】
（１）本発明の一形態は、ＩＣカードの情報を読み取るカードリーダである。このカードリーダは；筐体と；前記筐体内に設けられ、前記ＩＣカードとの間で通信を行うための第１のアンテナと；前記第１のアンテナの通信範囲に入った前記ＩＣカードとの間で前記通信を行なって、前記ＩＣカードの有するメモリからデータを受け取る処理を少なくとも行なう制御部と；第２のアンテナを有するＲＦタグを備え、所定の条件が満たされたときに、前記ＲＦタグが前記第２のアンテナおよび前記第１のアンテナを介して前記制御部と通信することで、所定の機能を実現するスイッチとして機能するスイッチ部と；を備え；少なくとも前記第２のアンテナは、前記第１のアンテナのサイドローブの範囲内に設けられたことを特徴としている。
【手続補正３】
【補正対象書類名】明細書
【補正対象項目名】０００８
【補正方法】変更
【補正の内容】
【０００８】
この形態のカードリーダによれば、第１のアンテナのメインローブを用いてＩＣカードとの間の通信が行われる。スイッチ部の備えるＲＦタグの第２のアンテナは、メインローブとは異なるサイドローブの範囲内に取り付けられることから、第２のアンテナを備えるスイッチ部を取り付けることによって、第１のアンテナによるＩＣカードの読み取り性能を低下させることがない。したがって、この形態のカードリーダによれば、ＩＣカードの読み取り性能を低下させることなく、スイッチ部と制御部との間を、ＲＦタグによる無線によってつなぐことができる。このことから、筐体にスイッチ部を取り付けるに際して、内部配線を変更することや、配線のために筐体に孔を開ける等の筐体構造を変更することが不要となり、スイッチ部の取付位置を変えたり、スイッチ部を新たに追加するなどの設計変更を容易に行うことができる。また、この形態のカードリーダによれば、第２のアンテナが第１のアンテナのサイドローブの範囲内に設けられていることから、筐体表面における、メインローブの範囲に形成されるＩＣカードの読取エリアの外側への第２のアンテナの取り付けが可能となる。押しボタンスイッチを有線にて制御部に接続する従来技術のカードリーダでは、上記の読取エリアの外側に配置されるのが通常であり、本形態のカードリーダでは、従来技術のカードリーダの押しボタンスイッチを前記スイッチ部に換えるだけで済む。したがって、本形態のカードリーダでは、既存の電子部品や基板の配置を再設計することなく、本形態のカードリーダの作成が可能となることから、より設計変更を容易とすることができる。また、この形態のカードリーダによれば、第１のアンテナによるＩＣカードの読み取り性能を低下させることがないことから、ユーザがＩＣカードをかざす際に、これまでとなんら使用感を変えることがない。すなわち、ユーザの使用感を変えずに設計変更が可能である。
【手続補正４】
【補正対象書類名】明細書
【補正対象項目名】００１３
【補正方法】変更
【補正の内容】
【００１３】
（６）上記形態のカードリーダにおいて、前記スイッチ部は、前記所定の条件が満たされていないときに、前記第２のアンテナを非共振状態に維持し、前記所定の条件が満たされたときに、前記第１のアンテナからの作用を受けることによって前記第２のアンテナを共振状態に移行させるようにしてもよい。この構成によれば、所定の条件が満たされていないときには、第２のアンテナは非共振状態に維持されることから、第２のアンテナはどの位置に配設されてもＩＣカードの読み取りの際の障害とはならない。したがって、ＩＣカードに対する通信の確実性を損ねることがない。
【手続補正５】
【補正対象書類名】明細書
【補正対象項目名】００２５
【補正方法】変更
【補正の内容】
【００２５】
本実施形態において、装置本体２０の正面側板部２０ａと側面側板部２０ｂと背面側板部２０ｃとからなるケース部分に加えてカバー４０が、［発明の概要］の欄に記載した本発明の一形態における「筐体」に相当する。すなわち、装置本体２０のケース部分に他の部材が付設されているような場合には、本発明においては、その部材も筐体の一部に該当するものとする。なお、本実施形態では、カバー４０を備える構成としたが、これに換えて、カバー４０が装着されていない構成とし、押しボタンスイッチ５０を装置本体２０の正面側板部２０ａに直接取り付ける構成としてもよい。
【手続補正６】
【補正対象書類名】明細書
【補正対象項目名】００７１
【補正方法】変更
【補正の内容】
【００７１】
・変形例７
前記各実施形態では、押しボタンスイッチやバイメタルのスイッチが、カバーもしくは装置本体の筐体に両面テープ等によって固設された構成としたが、これに換えて、例えば、カバー等にポケット部を形成して、ポケット部にスイッチを収納可能な構成とすることで、取り外しが容易な構成としてもよい。この構成によれば、設計変更をより容易に行うことができる。また、押しボタンスイッチやバイメタルのスイッチが、カバーに埋め込まれた構成としてもよい。